(57)【要約】【課題】他車両の状態に応じて合流区間における自車両の走行を適切に制御することができる車両制御システムを提供する。【解決手段】  自車両の走行を制御する車両制御システムであって、自車両と干渉する対象車両が合流車線に存在すると判定された場合に、対象車両が前方受け入れ意図を有するか、対象車両が後方受け入れ意図を有するか、対象車両が迷い状態であるかを判定し、対象車両の受け入れ意図の判定結果に基づいて、合流区間における自車両の走行を制御する。対象車両が迷い状態であると判定された場合には、自車両の加速又は減速により対象車両に対する働き掛けを行う。【選択図】図５
2018062300.tif 000002
【特許請求の範囲】
【請求項１】
自車両の走行を制御する車両制御システムであって、
前記自車両の位置を認識する車両位置認識部と、
前記自車両の走行状態を認識する走行状態認識部と、
前記自車両の周辺の他車両の位置及び前記他車両の走行状態に関する他車両情報を取得する他車両情報取得部と、
前記自車両の位置及び地図情報に基づいて、前記自車両の走行する走行車線と合流車線が合流する合流区間を認識する合流区間認識部と、
前記自車両の位置、前記地図情報、前記自車両の走行状態、及び前記他車両情報に基づいて、前記自車両と干渉する対象車両が前記合流車線に存在するか否かを判定する対象車両判定部と、
前記対象車両が前記合流車線に存在すると判定された場合に、前記自車両の位置、前記自車両の走行状態、及び前記他車両情報に基づいて、前記対象車両が前記自車両を先行させる前方受け入れ意図を有するか、前記対象車両が前記自車両を後続させる後方受け入れ意図を有するか、前記対象車両が前記前方受け入れ意図及び前記後方受け入れ意図の何れも有しない迷い状態であるか、を判定する受入意図判定部と、
前記対象車両が前方受け入れ意図を有すると判定された場合、前記合流区間において前記対象車両に先行するように前記自車両の走行を制御し、前記対象車両が後方受け入れ意図を有すると判定された場合、前記合流区間において前記対象車両に後続するように前記自車両の走行を制御する車両制御部と、
を備え、
前記受入意図判定部は、前記対象車両が前記迷い状態であると判定した場合、前記自車両の位置、前記自車両の走行状態、及び前記他車両情報に基づいて、前記対象車両が前記前方受け入れ意図に近い状態であるか、前記対象車両が前記後方受け入れ意図に近い状態であるかを判定し、
前記車両制御部は、前記対象車両が前記前方受け入れ意図に近い状態であると判定された場合、前記自車両の加速により前記対象車両に対する働き掛けを行い、前記対象車両が前記後方受け入れ意図に近い状態であると判定された場合、前記自車両の減速により前記対象車両に対する働き掛けを行う、車両制御システム。
【発明の詳細な説明】
【技術分野】
【０００１】
本発明は、車両制御システムに関する。
【背景技術】
【０００２】
従来、車両制御システムに関する技術文献として、米国特許出願公開第２０１４／０１４２７９９号明細書が知られている。この公報には、自車両の位置、速度、方向と他車両の位置、速度、方向と自車両の周辺環境とに基づいて他車両の予測挙動を推定し、自車両を制御する技術が記載されている。
【先行技術文献】
【特許文献】
【０００３】
【特許文献１】米国特許出願公開第２０１４／０１４２７９９号明細書
【発明の概要】
【発明が解決しようとする課題】
【０００４】
ところで、二つの車線が合流する合流区間においては、一方の車線を走行する自車両と他方の車線を走行する他車両との進路が相互に干渉する複雑な状況となる。この状況において、他車両は自車両に道を譲ろうか譲らないか迷っている場合がある。この場合、従来の技術では迷っている他車両の予測挙動を正確に推定できず、自車両を適切に制御できないおそれがある。
【０００５】
そこで、本技術分野では、他車両の状態に応じて合流区間における自車両の走行を適切に制御することができる車両制御システムを提供することが望まれている。
【課題を解決するための手段】
【０００６】
上記課題を解決するため、本発明は、自車両の走行を制御する車両制御システムであって、自車両の位置を認識する車両位置認識部と、自車両の走行状態を認識する走行状態認識部と、自車両の周辺の他車両の位置及び他車両の走行状態に関する他車両情報を取得する他車両情報取得部と、自車両の位置及び地図情報に基づいて、自車両の走行する走行車線と合流車線が合流する合流区間を認識する合流区間認識部と、自車両の位置、地図情報、走行状態、及び他車両情報に基づいて、自車両と干渉する対象車両が合流車線に存在するか否かを判定する対象車両判定部と、対象車両が合流車線に存在すると判定された場合に、自車両の位置、自車両の走行状態、及び他車両情報に基づいて、対象車両が自車両を先行させる前方受け入れ意図を有するか、対象車両が自車両を後続させる後方受け入れ意図を有するか、対象車両が前方受け入れ意図及び後方受け入れ意図の何れも有しない迷い状態であるか、を判定する受入意図判定部と、対象車両が前方受け入れ意図を有すると判定された場合、合流区間において対象車両に先行するように自車両の走行を制御し、対象車両が後方受け入れ意図を有すると判定された場合、合流区間において対象車両に後続するように自車両の走行を制御する車両制御部と、を備え、受入意図判定部は、対象車両が迷い状態であると判定した場合、自車両の位置、地図情報、走行状態、及び他車両情報に基づいて、対象車両が前方受け入れ意図に近い状態であるか、対象車両が後方受け入れ意図に近い状態であるかを判定し、車両制御部は、対象車両が前方受け入れ意図に近い状態であると判定された場合、自車両の加速により対象車両に対する働き掛けを行い、対象車両が後方受け入れ意図に近い状態であると判定された場合、自車両の減速により対象車両に対する働き掛けを行う。
【発明の効果】
【０００７】
以上説明したように、本発明の車両制御システムによれば、他車両の状態に応じて合流区間における自車両の走行を適切に制御することができる。
【図面の簡単な説明】
【０００８】
【図１】本実施形態に係る車両制御システムを示すブロック図である。
【図２】（ａ）自車両が対象車両に先行するように合流する場合を示す平面図である。（ｂ）自車両が対象車両に後続するように合流する場合を示す平面図である。
【図３】対象車両の受け入れ意図の判定に用いるパラメータを説明するための平面図である。
【図４】（ａ）自車両と対象車両の相対距離及び相対速度と受け入れ意図との関係を示すグラフである。（ｂ）自車両と対象車両の相対距離及び自車両から合流区間終端までの距離と受け入れ意図との関係を示すグラフである。
【図５】合流区間における自車両の制御を示すフローチャートである。
【図６】合流区間における自車両の制御の他の例を示すフローチャートである。
【発明を実施するための形態】
【０００９】
以下、本発明の実施形態について図面を参照して説明する。
【００１０】
図１は、本実施形態に係る車両制御システム１００を示すブロック図である。図１に示す車両制御システム１００は、乗用車などの車両（以後、自車両と称する）に搭載され、自車両の走行を制御する。車両制御システム１００は、自車両の走行する走行車線と合流車線とが合流する合流区間において、他車両の受け入れ意図を考慮して自車両の走行を制御するためのシステムである。受け入れ意図については後述する。車両制御システム１００は、自動運転の車両と非自動運転（手動運転）の車両との相互関係の円滑化に寄与する。なお、非自動運転の車両には、クルーズコントロールなどの運転支援制御を行っている車両も含まれる。
【００１１】
［車両制御システムの構成］
車両制御システム１００の構成について説明する。車両制御システム１００は、システムを統括的に制御するＥＣＵ[Electronic Control Unit]１０を備えている。ＥＣＵ１０は、ＣＰＵ[Central  Processing  Unit]、ＲＯＭ[Read  Only  Memory]、ＲＡＭ[Random  Access  Memory]、ＣＡＮ［Controller  Area  Network］通信回路等を有する電子制御ユニットである。ＥＣＵ１０では、例えば、ＲＯＭに記憶されているプログラムをＲＡＭにロードし、ＲＡＭにロードされたプログラムをＣＰＵで実行することにより各種の機能を実現する。ＥＣＵ１０には、ＧＰＳ受信部１、外部センサ２、内部センサ３、地図データベース４、及びアクチュエータ５が接続されている。
【００１２】
ＧＰＳ受信部１は、３個以上のＧＰＳ衛星から信号を受信することにより、自車両の位置（例えば自車両の緯度及び経度）を測定する。ＧＰＳ受信部１は、測定した自車両の位置情報をＥＣＵ１０へ送信する。
【００１３】
外部センサ２は、自車両の周辺の状況を検出する検出機器である。外部センサ２は、カメラ、レーダセンサのうち少なくとも一つを含む。
【００１４】
カメラは、自車両の外部状況を撮像する撮像機器である。カメラは、自車両のフロントガラスの裏側に設けられている。カメラは、自車両の外部状況に関する撮像情報をＥＣＵ１０へ送信する。カメラは、単眼カメラであってもよく、ステレオカメラであってもよい。ステレオカメラは、両眼視差を再現するように配置された二つの撮像部を有している。ステレオカメラの撮像情報には、奥行き方向の情報も含まれている。
【００１５】
レーダセンサは、電波（例えばミリ波）又は光を利用して自車両の周辺の障害物を検出する。レーダセンサは、電波又は光を自車両の周辺に送信し、障害物で反射された電波又は光を受信することで障害物を検出する。レーダセンサは、検出した障害物情報をＥＣＵ１０へ送信する。障害物には、ガードレール、建物等の固定障害物の他、歩行者、自転車、他車両等の移動障害物が含まれる。
【００１６】
内部センサ３は、自車両の走行状態を検出する検出機器である。内部センサ３は、車速センサ、加速度センサ、及びヨーレートセンサを含む。車速センサは、自車両の速度を検出する検出器である。車速センサとしては、例えば、自車両の車輪又は車輪と一体に回転するドライブシャフト等に対して設けられ、車輪の回転速度を検出する車輪速センサが用いられる。車速センサは、検出した車速情報（車輪速情報）をＥＣＵ１０に送信する。 
【００１７】
加速度センサは、自車両の加速度を検出する検出器である。加速度センサは、例えば、自車両の前後方向の加速度を検出する前後加速度センサと、自車両の横加速度を検出する横加速度センサとを含んでいる。加速度センサは、例えば、自車両の加速度情報をＥＣＵ１０に送信する。ヨーレートセンサは、自車両の重心の鉛直軸周りのヨーレート（回転角速度）を検出する検出器である。ヨーレートセンサとしては、例えばジャイロセンサを用いることができる。ヨーレートセンサは、検出した自車両のヨーレート情報をＥＣＵ１０へ送信する。
【００１８】
地図データベース４は、地図情報を記憶するデータベースである。地図データベース４は、例えば、自車両に搭載されたＨＤＤ［Hard  Disk  Drive］内に形成されている。地図情報には、道路の位置情報、道路形状の情報（例えばカーブ、直線部の種別、カーブの曲率等）、交差点及び分岐点の位置情報、及び構造物の位置情報などが含まれる。また、地図情報には、二つの車線が合流する合流区間の情報（位置、長さ）、合流区間の終端の位置の情報が含まれる。
【００１９】
アクチュエータ５は、自車両の走行制御を実行する装置である。アクチュエータ５は、スロットルアクチュエータ、ブレーキアクチュエータ、及び操舵アクチュエータを少なくとも含む。スロットルアクチュエータは、ＥＣＵ１０からの制御信号に応じてエンジンに対する空気の供給量（スロットル開度）を制御し、自車両の駆動力を制御する。なお、自車両がハイブリッド車である場合には、エンジンに対する空気の供給量の他に、動力源としてのモータにＥＣＵ１０からの制御信号が入力されて当該駆動力が制御される。自車両が電気自動車である場合には、動力源としてのモータにＥＣＵ１０からの制御信号が入力されて当該駆動力が制御される。これらの場合における動力源としてのモータは、アクチュエータ５を構成する。
【００２０】
ブレーキアクチュエータは、ＥＣＵ１０からの制御信号に応じてブレーキシステムを制御し、自車両の車輪へ付与する制動力を制御する。ブレーキシステムとしては、例えば、液圧ブレーキシステムを用いることができる。操舵アクチュエータは、電動パワーステアリングシステムのうち操舵トルクを制御するアシストモータの駆動を、ＥＣＵ１０からの制御信号に応じて制御する。これにより、操舵アクチュエータは、自車両の操舵トルクを制御する。
【００２１】
次に、ＥＣＵ１０の機能的構成について説明する。ＥＣＵ１０は、車両位置認識部１１、走行状態認識部１２、他車両情報取得部１３、合流区間認識部１４、対象車両判定部１５、受入意図判定部１６、及び車両制御部１７を有している。
【００２２】
車両位置認識部１１は、ＧＰＳ受信部１の位置情報及び地図データベース４の地図情報に基づいて、自車両の地図上の位置を認識する。また、車両位置認識部１１は、地図データベース４の地図情報に含まれた電柱等の固定障害物の位置情報及び外部センサ２の検出結果を利用して、ＳＬＡＭ［Simultaneous  Localization  and  Mapping］技術により自車両の位置を認識する。車両位置認識部１１は、その他、周知の手法により自車両の地図上の位置を認識してもよい。
【００２３】
走行状態認識部１２は、内部センサ３の検出結果に基づいて、自車両の走行状態を認識する。走行状態には、自車両の車速が含まれる。走行状態には、自車両の加速度が含まれてもよく、自車両のヨーレート（向き）が含まれてもよい。
【００２４】
他車両情報取得部１３は、外部センサ２の検出結果に基づいて、自車両の周辺の他車両に関する他車両情報を取得する。他車両情報には、少なくとも他車両の位置、及び、他車両の走行状態が含まれる。他車両の走行状態には、他車両の車速が含まれる。他車両の走行状態には、他車両の加速度が含まれていてもよく、他車両の向きが含まれてもよい。なお、他車両情報取得部１３は、車々間通信を介して他車両情報を取得してもよい。
【００２５】
合流区間認識部１４は、自車両の走行する走行車線と合流車線が合流する合流区間（合流区間の始点及び終点を含む）を認識する。ここで、合流車線は合流する側の車線に限られず、走行車線が合流側の車線であり合流車線が本線の車線である場合も本実施形態の説明に含まれる。また、合流区間には、合流される本線道路の車線のうち、合流側の車線に隣接する区間も含まれる。
【００２６】
合流区間認識部１４は、車両位置認識部１１の認識した車両の地図上の位置と地図データベース４の地図情報とに基づいて、自車両の走行する走行車線を認識する。合流区間認識部１４は、地図情報に基づいて、自車両の前方の合流区間（走行車線が合流する合流区間又は走行車線が合流される合流区間）を認識する。なお、合流区間認識部１４は、更に走行状態認識部１２の認識した自車両の向きを利用して、走行車線及び合流区間を認識してもよい。
【００２７】
対象車両判定部１５は、自車両と干渉する対象車両が合流車線に存在するか否かを判定する。対象車両とは、合流区間における合流時に、自車両の一定距離内に近接すると予測される他車両を意味する。合流時には、自車両が合流側の車線を走行しており本線車道に合流するときと、自車両が本線車道を走行しており合流側の車線から他車両が合流してくるときの両方が含まれる。
【００２８】
対象車両判定部１５は、車両位置認識部１１の認識した自車両の位置、走行状態認識部１２の認識した自車両の走行状態、地図データベース４の地図情報、他車両情報取得部１３の取得した他車両情報、及び合流区間認識部１４の認識した合流区間に基づいて、対象車両が合流車線に存在するか否かを判定する。対象車両判定部１５は、周知の手法により、対象車両が合流車線に存在するか否かを判定することができる。
【００２９】
受入意図判定部１６は、対象車両判定部１５により対象車両が合流車線に存在すると判定された場合に、対象車両の受け入れ意図を判定する。受入意図判定部１６は、自車両の位置、地図情報、走行状態、他車両情報、及び合流区間に基づいて、対象車両の受け入れ意図を判定する。具体的に、受入意図判定部１６は、対象車両が自車両を先行させる前方受け入れ意図を有するか、対象車両が車両を後続させる後方受け入れ意図を有するか、対象車両が前方受け入れ意図及び後方受け入れ意図の何れも有しない迷い状態であるか、を判定する。
【００３０】
前方受け入れ意図とは、合流時に自車両を対象車両に先行させて、自車両が対象車両の先行車になることを受け入れる対象車両の運転者の意図である。後方受け入れ意図とは、合流時に対象車両が自車両より先行して（自車両を対象車両に後続させて）、自車両が対象車両の後続車になることを受け入れる対象車両の運転者の意図である。迷い状態とは、自車両を前方に受け入れるか後方に受け入れるか対象車両の運転者が迷っている状態である。
【００３１】
ここで、図２（ａ）は、自車両が対象車両に先行するように合流する場合を示す平面図である。図２（ａ）に、自車両Ｍ、対象車両Ｎ、自車両Ｍの走行する走行車線Ｒ１、対象車両Ｎの走行する合流車線Ｒ２、合流車線Ｒ２に隣接する隣接車線Ｒ３、合流区間Ｃ、合流区間の終端ＣＥを示す。また、図２（ａ）に、時刻ｔ１における自車両Ｍｔ１及び対象車両Ｎｔ１、時刻ｔ２における自車両Ｍｔ２及び対象車両Ｎｔ２を一点鎖線で示す。
【００３２】
図２（ａ）は、受入意図判定部１６により対象車両Ｎが前方受け入れ意図を有すると判定された状況を示している。この場合、車両制御システム１００は、対象車両Ｎに先行するように自車両Ｍの走行を制御して対象車両Ｎの前方に合流する。なお、自車両Ｍの走行の制御については後述する。
【００３３】
図２（ｂ）は、自車両が対象車両に後続するように合流する場合を示す平面図である。図２（ｂ）は、受入意図判定部１６により対象車両Ｎが後方受け入れ意図を有すると判定された状況を示している。この場合、車両制御システム１００は、対象車両Ｎに後続するように自車両Ｍの走行を制御して対象車両Ｎの後方に合流する。
【００３４】
図３は、対象車両の受け入れ意図の判定に用いるパラメータを説明するための平面図である。図３に、合流車線Ｒ２上で対象車両Ｎの前方を走行する前方車ＮＦ、対象車両Ｎと前方車ＮＦとの相対距離Ａ１、自車両Ｍと合流区間Ｃの終端ＣＥとの距離Ａ２、自車両Ｍと対象車両Ｎとの相対距離（本線車道の延在方向における距離）Ｅ１を示す。受入意図判定部１６は、対象車両Ｎと前方車ＮＦとの相対距離Ａ１、自車両Ｍと合流区間Ｃの終端ＣＥとの距離Ａ２、自車両Ｍと対象車両Ｎとの相対距離Ｅ１に加えて、自車両Ｍと対象車両Ｎの相対速度Ｅ２、自車両Ｍと対象車両Ｎとの相対加速度Ｅ３を対象車両Ｎの受け入れ意図の判定に用いることができる。
【００３５】
受入意図判定部１６は、自車両の位置及び他車両情報の二つに基づいて、対象車両Ｎと前方車ＮＦとの相対距離Ａ１を算出する。受入意図判定部１６は、自車両の位置及び地図情報の二つに基づいて、自車両Ｍと合流区間Ｃの終端ＣＥとの距離Ａ２を算出する。受入意図判定部１６は、自車両の位置、及び他車両情報の二つに基づいて、自車両Ｍと対象車両Ｎとの相対距離Ｅ１を算出する。ここでは対象車両Ｎの進行方向を本線車道の延在方向と仮定しているが、地図情報に基づいて本線車道の延在方向を認識してもよい。受入意図判定部１６は、自車両の走行状態及び他車両情報の二つに基づいて、自車両Ｍと対象車両Ｎの相対速度Ｅ２及び相対加速度Ｅ３を認識する。
【００３６】
受入意図判定部１６は、上述したパラメータのうち少なくとも２つを用いて、受け入れ意図の判定を行うことができる。ここで、図４（ａ）は、自車両Ｍと対象車両Ｎの相対距離Ｅ１及び相対速度Ｅ２と受け入れ意図との関係を示すグラフである。図４（ａ）に示すグラフは、現実の人間行動データに基づいてモデル化したものである。図４（ａ）の縦軸は、自車両Ｍと対象車両Ｎとの相対速度である。横軸は、自車両Ｍと対象車両Ｎとの相対距離（本線道路の延在方向における距離）である。図４（ａ）に、前方受け入れ意図の人間行動データを黒色の範囲として示す。後方受け入れ意図の人間行動データを白色の範囲として示す。迷い状態の人間行動データをハッチングの範囲として示す。
【００３７】
図４（ａ）のグラフは、前方受け入れ意図の領域と、後方受け入れ意図の領域と、迷い状態の領域とに分けられる。図４（ａ）に、前方受け入れ意図の領域と後方受け入れ意図の領域との境界線Ｈ１，Ｈ２、迷い状態の領域と前方受け入れ意図の領域との境界線Ｈ３、迷い状態の領域と後方受け入れ意図の領域との境界線Ｈ４を示す。前方受け入れ意図の領域は、境界線Ｈ１〜Ｈ３の右側の領域である。後方受け入れ意図の領域は、境界線Ｈ１，Ｈ２，Ｈ４の左側の領域である。迷い状態の領域は、境界線Ｈ３と境界線Ｈ４に囲まれた領域である。
【００３８】
受入意図判定部１６は、例えば、自車両Ｍと対象車両Ｎとの相対距離Ｅ１、及び自車両Ｍと対象車両Ｎの相対速度Ｅ２の二つのパラメータに基づいて、図４（ａ）に示す関係を利用することにより、対象車両の受け入れ意図を判定する。受入意図判定部１６は、相対距離Ｅ１と相対速度Ｅ２を図４（ａ）のグラフにプロットした点が前方受け入れ意図の領域に位置する場合、対象車両Ｎの受け入れ意図は前方受け入れ意図を有すると判定する。受入意図判定部１６は、相対距離Ｅ１と相対速度Ｅ２をプロットした点が後方受け入れ意図の領域に位置する場合、対象車両Ｎの受け入れ意図は後方受け入れ意図を有すると判定する。受入意図判定部１６は、相対距離Ｅ１と相対速度Ｅ２をプロットした点が迷い状態の領域に位置する場合、対象車両Ｎの受け入れ意図は迷い状態であると判定する。
【００３９】
図４（ｂ）は、自車両Ｍと対象車両Ｎの相対距離Ｅ１及び自車両Ｍから合流区間の終端ＣＥまでの距離Ａ２と受け入れ意図との関係を示すグラフである。図４（ｂ）の縦軸は、自車両Ｍと対象車両Ｎの相対距離Ｅ１である。横軸は、自車両Ｍから合流区間の終端ＣＥまでの距離Ａ２である。図４（ｂ）に、前方受け入れ意図の人間行動データを黒色の範囲として示す。後方受け入れ意図の人間行動データを白色の範囲として示す。迷い状態の人間行動データをハッチングの範囲として示す。
【００４０】
図４（ｂ）のグラフも、前方受け入れ意図の領域と、後方受け入れ意図の領域と、迷い状態の領域とに分けられる。図４（ｂ）に、前方受け入れ意図の領域と後方受け入れ意図の領域との境界線Ｋ１、迷い状態の領域と前方受け入れ意図の領域との境界線Ｋ２、迷い状態の領域と後方受け入れ意図の領域との境界線Ｋ３を示す。前方受け入れ意図の領域は、境界線Ｋ１，Ｋ２の上側の領域である。後方受け入れ意図の領域は、境界線Ｋ１，Ｋ３の下側の領域である。迷い状態の領域は、境界線Ｋ２と境界線Ｋ３に囲まれた領域である。
【００４１】
受入意図判定部１６は、自車両Ｍと対象車両Ｎとの相対距離Ｅ１、及び自車両Ｍから合流区間の終端ＣＥまでの距離Ａ２の二つのパラメータに基づいて、図４（ｂ）に示す関係を利用することにより、対象車両Ｎの受け入れ意図を判定してもよい。受入意図判定部１６は、図４（ｂ）の場合と同様に、相対距離Ｅ１及び距離Ａ２を図４（ｂ）のグラフにプロットした点から、対象車両Ｎの受け入れ意図を判定することができる。
【００４２】
なお、理解を容易にするため図４（ａ）及び図４（ｂ）を例示して説明を行ったが、受入意図判定部１６は、グラフ上へのプロットを行う必要はなく、少なくとも二つのパラメータと受け入れ意図の関係を規定したデータテーブルを用いて、対象車両Ｎの受け入れ意図の判定を行うことができる。データテーブルは、自車両Ｍと対象車両Ｎの相対距離Ｅ１及び相対速度Ｅ２と受け入れ意図との関係を予め設定したデータテーブルであってもよく、自車両Ｍと対象車両Ｎの相対距離Ｅ１及び自車両Ｍから合流区間の終端ＣＥまでの距離Ａ２と受け入れ意図との関係を規定したデータテーブルであってもよい。データテーブルは、上述したパラメータのうち三つ以上と受け入れ意図との関係を規定したデータテーブルであってもよい。
【００４３】
受入意図判定部１６は、対象車両Ｎが迷い状態であると判定した場合、対象車両Ｎが前方受け入れ意図に近い状態であるか、後方受け入れ意図に近い状態であるか判定する。受入意図判定部１６は、図４（ａ）のグラフ上に、自車両Ｍと対象車両Ｎの相対距離Ｅ１及び相対速度Ｅ２をプロットした点が、迷い状態の領域のうち前方受け入れ意図の領域側（すなわち境界線Ｈ３側）に位置する場合、対象車両Ｎが前方受け入れ意図に近い状態であると判定する。受入意図判定部１６は、図４（ａ）のグラフ上にプロットした点が、迷い状態の領域のうち前方受け入れ意図の領域側（すなわち境界線Ｈ４側）に位置する場合、対象車両Ｎが後方受け入れ意図に近い状態であると判定する。
【００４４】
なお、受入意図判定部１６は、少なくとも二つのパラメータと受け入れ意図（前方受け入れ意図に近い状態、後方受け入れ意図に近い状態）の関係を規定したデータテーブルを用いて、対象車両Ｎが前方受け入れ意図に近い状態であるか、後方受け入れ意図に近い状態であるか判定してもよい。
【００４５】
車両制御部１７は、合流区間Ｃにおける自車両Ｍの走行を制御する。車両制御部１７は、対象車両判定部１５により自車両Ｍと干渉する対象車両Ｎが合流車線に存在しないと判定された場合、合流区間Ｃにおける自車両Ｍの通常の走行制御を行う。合流区間Ｃにおける自車両Ｍの通常の走行制御とは、自車両Ｍが合流する側である場合には自車両Ｍが本線道路（この場合は合流車線）に合流するように走行する制御である。自車両Ｍが合流される側である場合には本線道路（この場合は走行車線）をそのまま走行する制御である。
【００４６】
車両制御部１７は、受入意図判定部１６の判定結果に基づいて、合流区間Ｃにおける自車両Ｍの走行を制御する。車両制御部１７は、アクチュエータ５に制御信号を送信することにより、自車両Ｍの走行を制御する。車両制御部１７は、対象車両Ｎが前方受け入れ意図を有すると判定された場合、合流区間Ｃにおいて対象車両Ｎに先行するように自車両Ｍの走行を制御する（図２（ａ）参照）。すなわち、車両制御部１７は、合流後に自車両Ｍが対象車両Ｎの先行車になるように自車両Ｍの走行を制御する。
【００４７】
車両制御部１７は、対象車両Ｎが後方受け入れ意図を有すると判定された場合、合流区間Ｃにおいて対象車両Ｎに後続するように自車両Ｍの走行を制御する（図２（ｂ）参照）。すなわち、車両制御部１７は、合流後に自車両Ｍが対象車両Ｎの後続車になるように自車両Ｍの走行を制御する。これらの自車両Ｍの走行の制御は、周知の手法により実現することができる。
【００４８】
車両制御部１７は、対象車両Ｎが迷い状態であると判定された後、対象車両Ｎが前方受け入れ意図に近い状態であると判定された場合、自車両Ｍの加速により対象車両Ｎに対する働き掛け（対象車両Ｎが前方受け入れ意図を有するような働き掛け）を行う。車両制御部１７は、自車両Ｍが加速度閾値以上の加速度となるように自車両Ｍの走行を制御する。加速度閾値は、加速による働き掛けのために予め設定された値である。加速度閾値は、対象車両Ｎと自車両Ｍとの相対関係（位置、速度、加速度などの関係）に応じて値を変更してもよい。
【００４９】
車両制御部１７は、対象車両Ｎが迷い状態であると判定された後、対象車両Ｎが後方受け入れ意図に近い状態であると判定された場合、自車両Ｍの減速により対象車両Ｎに対する働き掛け（対象車両Ｎが後方受け入れ意図を有するような働き掛け）を行う。車両制御部１７は、自車両Ｍが減速度閾値以上の減速度（すなわちマイナスの加速度）となるように自車両Ｍの走行を制御する。減速度閾値は、減速による働き掛けのために予め設定された値である。減速度閾値は、対象車両Ｎと自車両Ｍとの相対関係（位置、速度、加速度などの関係）に応じて値を変更してもよい。
【００５０】
［車両制御システムの合流区間における自車両の制御］
次に、本実施形態の車両制御システム１００による合流区間Ｃにおける自車両Ｍの制御を説明する。図５は、合流区間Ｃにおける自車両Ｍの制御を示すフローチャートである。
【００５１】
図５に示すフローチャートは、走行制御中（例えば自動運転中）の自車両Ｍが合流区間Ｃに一定距離未満まで接近した場合に実行される。この場合、ＥＣＵ１０は、地図上の合流区間Ｃを既に認識している。一定距離は、自車両Ｍの加速による対象車両Ｎへの働き掛けを行った後でも、対象車両Ｎの状況によっては対象車両Ｎに後続することができるように、適切な余裕をもって設定される。
【００５２】
図５に示すように、車両制御システム１００のＥＣＵ１０は、Ｓ１０として、車両位置認識部１１による自車両Ｍの位置の認識を行う。また、ＥＣＵ１０は、走行状態認識部１２により自車両Ｍの走行状態を認識すると共に、他車両情報取得部１３により他車両情報を取得する。
【００５３】
Ｓ１２において、ＥＣＵ１０は、対象車両判定部１５により自車両Ｍと干渉する対象車両Ｎが合流車線に存在するか否かを判定する。対象車両判定部１５は、自車両の位置、自車両の走行状態、地図情報、及び他車両情報に基づいて、対象車両Ｎが合流車線に存在するか否かを判定する。ＥＣＵ１０は、対象車両Ｎが合流車線に存在しないと判定された場合（Ｓ１２：ＮＯ）、Ｓ１４に移行する。ＥＣＵ１０は、対象車両Ｎが合流車線に存在すると判定された場合（Ｓ１２：ＹＥＳ）、Ｓ１６に移行する。
【００５４】
Ｓ１４において、ＥＣＵ１０は、車両制御部１７により合流区間Ｃにおける通常の自車両Ｍの制御を行う。車両制御部１７は、アクチュエータ５に制御信号を送信することにより自車両Ｍの走行を制御する。車両制御部１７は、自車両Ｍが合流する側である場合には自車両Ｍが本線道路に合流するように自車両Ｍの走行を制御し、自車両Ｍが合流される側である場合には本線道路をそのまま走行するように自車両Ｍの走行を制御する。その後、ＥＣＵ１０は、今回の制御を終了する。
【００５５】
Ｓ１６において、ＥＣＵ１０は、受入意図判定部１６により対象車両Ｎが前方受け入れ意図を有するか否かを判定する。受入意図判定部１６は、自車両の位置、自車両の走行状態、及び他車両情報に基づいて上記判定を行う。受入意図判定部１６は、例えば、自車両の位置、自車両の走行状態、及び他車両情報に基づいて、自車両Ｍと対象車両Ｎの相対距離Ｅ１及び相対速度Ｅ２を算出し、相対距離Ｅ１及び相対速度Ｅ２と受け入れ意図との関係を予め設定したデータテーブルを用いて、上記判定を行う。
【００５６】
ＥＣＵ１０は、対象車両Ｎが前方受け入れ意図を有すると判定された場合（Ｓ１６：ＹＥＳ）、Ｓ１８に移行する。ＥＣＵ１０は、対象車両Ｎが前方受け入れ意図を有しないと判定された場合（Ｓ１６：ＮＯ）、Ｓ２０に移行する。
【００５７】
Ｓ１８において、ＥＣＵ１０は、車両制御部１７により、合流区間Ｃにおいて対象車両Ｎに先行するように自車両Ｍの走行を制御する。車両制御部１７は、自車両Ｍが対象車両Ｎの先行車となるように自車両Ｍの走行を制御する。その後、ＥＣＵ１０は、今回の制御を終了する。
【００５８】
Ｓ２０において、ＥＣＵ１０は、受入意図判定部１６により対象車両Ｎが後方受け入れ意図を有するか否かを判定する。受入意図判定部１６は、自車両の位置、自車両の走行状態、及び他車両情報に基づいて上記判定を行う。ＥＣＵ１０は、対象車両Ｎが後方受け入れ意図を有すると判定された場合（Ｓ２０：ＹＥＳ）、Ｓ２２に移行する。ＥＣＵ１０は、対象車両Ｎが後方受け入れ意図を有しないと判定された場合（Ｓ２０：ＮＯ）、Ｓ２４に移行する。対象車両Ｎが後方受け入れ意図を有しないと判定された場合とは、対象車両Ｎが迷い状態であると判定された場合に相当する。
【００５９】
Ｓ２２において、ＥＣＵ１０は、車両制御部１７により、合流区間Ｃにおいて対象車両Ｎに後続するように自車両Ｍの走行を制御する。車両制御部１７は、自車両Ｍが対象車両Ｎの後続車となるように自車両Ｍの走行を制御する。その後、ＥＣＵ１０は、今回の制御を終了する。
【００６０】
Ｓ２４において、ＥＣＵ１０は、受入意図判定部１６により対象車両Ｎが前方受け入れ意図に近い状態であるか否かを判定する。受入意図判定部１６は、自車両Ｍの位置、自車両Ｍの走行状態、及び他車両情報に基づいて上記判定を行う。具体的に、受入意図判定部１６は、例えば、自車両Ｍの位置、自車両Ｍの走行状態、及び他車両情報に基づいて、自車両Ｍと対象車両Ｎの相対距離Ｅ１及び相対速度Ｅ２を算出し、相対距離Ｅ１及び相対速度Ｅ２と受け入れ意図（対象車両Ｎが前方受け入れ意図に近い状態であるか否か）との関係を予め設定したデータテーブルを用いて、上記判定を行う。
【００６１】
ＥＣＵ１０は、対象車両Ｎが前方受け入れ意図に近い状態であると判定された場合（Ｓ２４：ＹＥＳ）、Ｓ２８に移行する。ＥＣＵ１０は、対象車両Ｎが前方受け入れ意図に近い状態ではないと判定された場合（Ｓ２４：ＮＯ）、Ｓ２６に移行する。対象車両Ｎが前方受け入れ意図に近い状態ではないと判定された場合とは、対象車両Ｎが後方受け入れ意図に近い状態であると判定された場合に相当する。
【００６２】
Ｓ２６において、ＥＣＵ１０は、車両制御部１７により自車両Ｍの減速により対象車両Ｎに対する働き掛けを行う。車両制御部１７は、対象車両Ｎが後方受け入れ意図を有するように、減速による働き掛けを行う。その後、ＥＣＵ１０は、Ｓ３０に移行する。
【００６３】
Ｓ２８において、ＥＣＵ１０は、車両制御部１７により自車両Ｍの加速により対象車両Ｎに対する働き掛けを行う。車両制御部１７は、対象車両Ｎが前方受け入れ意図を有するように、加速による働き掛けを行う。その後、ＥＣＵ１０は、Ｓ３０に移行する。
【００６４】
Ｓ３０において、ＥＣＵ１０は、車両位置認識部１１による自車両Ｍの位置の認識を行う。また、ＥＣＵ１０は、走行状態認識部１２により自車両Ｍの走行状態を認識すると共に、他車両情報取得部１３により他車両情報を取得する。すなわち、ＥＣＵ１０は、最新の各種の情報を取得する。
【００６５】
Ｓ３２において、ＥＣＵ１０は、受入意図判定部１６により対象車両Ｎは前方受け入れ意図を有する又は前方受け入れ意図に近い状態であるか判定する。受入意図判定部１６は、Ｓ３０で認識又は取得した自車両の位置、自車両の走行状態、及び他車両情報に基づいて上記の判定を行う。ＥＣＵ１０は、対象車両Ｎが前方受け入れ意図を有する又は前方受け入れ意図に近い状態であると判定された場合（Ｓ３２：ＹＥＳ）、Ｓ３４に移行する。ＥＣＵ１０は、対象車両Ｎが前方受け入れ意図を有する又は前方受け入れ意図に近い状態であると判定されなかった場合（Ｓ３２：ＮＯ）、Ｓ３６に移行する。対象車両Ｎが前方受け入れ意図を有する又は前方受け入れ意図に近い状態であると判定されなかった場合とは、対象車両Ｎが後方受け入れ意図を有する場合又は対象車両Ｎが後方受け入れ意図に近い状態である場合に相当する。
【００６６】
Ｓ３４において、ＥＣＵ１０は、車両制御部１７により、合流区間Ｃにおいて対象車両Ｎに先行するように自車両Ｍの走行を制御する。車両制御部１７は、自車両Ｍが対象車両Ｎの先行車となるように自車両Ｍの走行を制御する。その後、ＥＣＵ１０は、今回の制御を終了する。
【００６７】
Ｓ３６において、ＥＣＵ１０は、車両制御部１７により、合流区間Ｃにおいて対象車両Ｎに後続するように自車両Ｍの走行を制御する。車両制御部１７は、自車両Ｍが対象車両Ｎの後続車となるように自車両Ｍの走行を制御する。その後、ＥＣＵ１０は、今回の制御を終了する。
【００６８】
［車両制御システムの作用効果］
以上説明した本実施形態に係る車両制御システム１００によれば、合流車線に自車両Ｍと干渉する対象車両Ｎが存在する場合に対象車両Ｎの受け入れ意図を判定し、その判定結果に応じて適切に自車両Ｍの走行を制御することができる。しかも、車両制御システム１００では、対象車両Ｎが前方受け入れ意図及び後方受け入れ意図の何れでもない迷い状態である場合には、対象車両Ｎが前方受け入れ意図及び後方受け入れ意図の何れに近い状態であるかを判定して、自車両Ｍの加速又は減速による働き掛けを行う。
【００６９】
従って、車両制御システム１００によれば、対象車両Ｎの迷い状態すら考慮していない従来のシステムと比べて、対象車両Ｎの状態（前方受け入れ意図を有する状態、後方受け入れ意図を有する状態、迷い状態）に応じて合流区間Ｃにおける自車両Ｍの走行を適切に制御することができる。これにより、車両制御システム１００は、対象車両Ｎの受け入れ意図の状態を考慮しない場合と比べて、自車両Ｍの制御と運転者の感覚の不一致を抑制することができる。その結果、車両制御システム１００は、手動運転の対象車両Ｎが自動運転中の自車両Ｍと過剰な接近や接触を起こすことを抑制すると共に、手動運転の対象車両Ｎの予期せぬ挙動により自車両Ｍの自動運転が中断することも避けられる。よって、車両制御システム１００によれば、自動運転の車両と非自動運転（手動運転）の車両との相互関係の円滑化に寄与する。
【００７０】
以上、本発明の好適な実施形態について説明したが、本発明は上述した実施形態に限定されるものではない。本発明は、上述した実施形態を始めとして、当業者の知識に基づいて種々の変更、改良を施した様々な形態で実施することができる。
【００７１】
図６は、合流区間Ｃにおける自車両Ｍの制御の変形例を示すフローチャートである。図６に示すフローチャートは、対象車両Ｎが迷い状態であると判定した場合に処理を繰り返す点（ループする点）が図５に示すフローチャートと異なっている。
【００７２】
図６に示すフローチャートは、走行制御中（例えば自動運転中）の自車両Ｍが合流区間Ｃに一定距離未満まで接近した場合に実行される。この場合、ＥＣＵ１０は、地図上の合流区間Ｃを既に認識している。なお、図６のＳ４０−Ｓ５４、Ｓ６０、Ｓ６２は、それぞれ図５のＳ１０−Ｓ２４、Ｓ２６、Ｓ２８と同じ処理であるため説明を簡略化する。
【００７３】
図６に示すように、車両制御システム１００のＥＣＵ１０は、Ｓ４０として、車両位置認識部１１による自車両Ｍの位置の認識を行う。また、ＥＣＵ１０は、走行状態認識部１２により自車両Ｍの走行状態を認識すると共に、他車両情報取得部１３により他車両情報を取得する。
【００７４】
Ｓ４２において、ＥＣＵ１０は、対象車両判定部１５により自車両Ｍと干渉する対象車両Ｎが合流車線に存在するか否かを判定する。ＥＣＵ１０は、対象車両Ｎが合流車線に存在しないと判定された場合（Ｓ４２：ＮＯ）、Ｓ４４に移行する。ＥＣＵ１０は、対象車両Ｎが合流車線に存在すると判定された場合（Ｓ４２：ＹＥＳ）、Ｓ４６に移行する。
【００７５】
Ｓ４４において、ＥＣＵ１０は、車両制御部１７により合流区間Ｃにおける通常の自車両Ｍの制御を行う。車両制御部１７は、自車両Ｍが合流する側である場合には自車両Ｍが本線道路に合流するように自車両Ｍの走行を制御し、自車両Ｍが合流される側である場合には本線道路をそのまま走行するように自車両Ｍの走行を制御する。その後、ＥＣＵ１０は、今回の制御を終了する。
【００７６】
Ｓ４６において、ＥＣＵ１０は、受入意図判定部１６により対象車両Ｎが前方受け入れ意図を有するか否かを判定する。ＥＣＵ１０は、対象車両Ｎが前方受け入れ意図を有すると判定された場合（Ｓ４６：ＹＥＳ）、Ｓ４８に移行する。ＥＣＵ１０は、対象車両Ｎが前方受け入れ意図を有しないと判定された場合（Ｓ４６：ＮＯ）、Ｓ５０に移行する。
【００７７】
Ｓ４８において、ＥＣＵ１０は、車両制御部１７により、合流区間Ｃにおいて対象車両Ｎに先行するように自車両Ｍの走行を制御する。その後、ＥＣＵ１０は、今回の制御を終了する。
【００７８】
Ｓ５０において、ＥＣＵ１０は、受入意図判定部１６により対象車両Ｎが後方受け入れ意図を有するか否かを判定する。ＥＣＵ１０は、対象車両Ｎが後方受け入れ意図を有すると判定された場合（Ｓ５０：ＹＥＳ）、Ｓ５２に移行する。ＥＣＵ１０は、対象車両Ｎが後方受け入れ意図を有しないと判定された場合（Ｓ５０：ＮＯ）、Ｓ５４に移行する。
【００７９】
Ｓ５２において、ＥＣＵ１０は、車両制御部１７により、合流区間Ｃにおいて対象車両Ｎに後続するように自車両Ｍの走行を制御する。その後、ＥＣＵ１０は、今回の制御を終了する。
【００８０】
Ｓ５４において、ＥＣＵ１０は、受入意図判定部１６により対象車両Ｎが前方受け入れ意図に近い状態であるか否かを判定する。ＥＣＵ１０は、対象車両Ｎが前方受け入れ意図に近い状態であると判定された場合（Ｓ５４：ＹＥＳ）、Ｓ５６に移行する。ＥＣＵ１０は、対象車両Ｎが前方受け入れ意図に近い状態ではないと判定された場合（Ｓ５４：ＮＯ）、Ｓ６０に移行する。
【００８１】
Ｓ５４において、ＥＣＵ１０は、受入意図判定部１６によりＳ５４のＹＥＳの判定が二回目以降であるか否かを判定する。二回目以降であるとは、一つの合流区間Ｃについて図６のフローチャートの処理が一回以上ループしたことを意味する。ＥＣＵ１０は、二回目以降であると判定された場合（Ｓ５４：ＹＥＳ）、Ｓ５８に移行する。ＥＣＵ１０は、二回目以降ではないと判定された場合（Ｓ５４：ＹＥＳ）、Ｓ６２に移行する。
【００８２】
Ｓ５８において、ＥＣＵ１０は、受入意図判定部１６により自車両Ｍが合流区間Ｃの終端ＣＥに至るまでに対象車両Ｎが前方受け入れ意図を有すると予測可能であるか否かを判定する。受入意図判定部１６は、自車両Ｍの位置、地図情報、自車両Ｍの走行状態、及び他車両情報に基づいて上記判定を行う。
【００８３】
具体的に、受入意図判定部１６は、自車両Ｍの位置、地図情報、及び自車両Ｍの走行状態（車速、加速度など）に基づいて、自車両Ｍが合流区間Ｃの終端ＣＥに至るまでの余裕時間を認識する。受入意図判定部１６は、自車両Ｍの位置、自車両Ｍの走行状態、及び他車両情報に基づいて、余裕時間が経過するまでに対象車両Ｎが前方受け入れ意図を有すると予測可能であるか否かを判定する。受入意図判定部１６は、自車両Ｍの位置、自車両Ｍの走行状態、及び他車両情報と、対象車両Ｎが前方受け入れ意図を有すると予測可能であるか否かの判定結果とが予め規定されたデータテーブルを用いて、当該判定を行ってもよい。受入意図判定部１６は、周知の手法により当該判定を行うことができる。
【００８４】
ＥＣＵ１０は、対象車両Ｎが前方受け入れ意図を有すると予測可能ではないと判定された場合（Ｓ５８：ＮＯ）、Ｓ６０に移行する。ＥＣＵ１０は、対象車両Ｎが前方受け入れ意図を有すると予測可能であると判定された場合（Ｓ５８：ＹＥＳ）、Ｓ６２に移行する。
【００８５】
Ｓ６０において、車両制御部１７により自車両Ｍの減速により対象車両Ｎに対する働き掛けを行う。車両制御部１７は、対象車両Ｎが後方受け入れ意図を有するように、減速による働き掛けを行う。その後、ＥＣＵ１０は、Ｓ４０に戻って処理を繰り返す。
【００８６】
Ｓ６２において、ＥＣＵ１０は、車両制御部１７により自車両Ｍの加速により対象車両Ｎに対する働き掛けを行う。車両制御部１７は、対象車両Ｎが前方受け入れ意図を有するように、加速による働き掛けを行う。その後、ＥＣＵ１０は、Ｓ４０に戻って処理を繰り返す。
【００８７】
以上説明した図６のフローチャートの処理によっても、車両制御システム１００は、対象車両Ｎの状態に応じて合流区間Ｃにおける自車両Ｍの走行を適切に制御することができる。なお、車両制御システム１００は、フローチャートをループさせる場合、受け入れ意図の判定を複数回繰り返し、同じ判定結果が所定回数以上（例えば５回以上）に現れたときに、当該判定結果に基づいて自車両Ｍの走行を制御してもよい。
【００８８】
その他、本実施形態において、受入意図判定部１６は、地図情報に基づいて、合流区間Ｃの道路形状や車線幅を考慮して対象車両Ｎの受け入れ意図の判定を行ってもよい。
【００８９】
また、受入意図判定部１６は、対象車両Ｎの前方受け入れ意図及び後方受け入れ意図を確率として算出してもよい。受入意図判定部１６は、例えば、本実施形態において説明した各パラメータのうち少なくとも二つと前方受け入れ意図の確率とを予め規定したデータテーブルを用いて、対象車両Ｎの前方受け入れ意図の確率を算出する。同様に、受入意図判定部１６は、例えば、各パラメータのうち少なくとも二つと後方受け入れ意図の確率とを予め規定したデータテーブルを用いて、対象車両Ｎの後方受け入れ意図の確率を算出する。データテーブルは、図４（ａ）及び図４（ｂ）に示すような人間行動データに基づいて構築される。
【００９０】
この場合、受入意図判定部１６は、対象車両Ｎの前方受け入れ意図の確率の方が後方受け入れ意図の確率より大きい値であり、前方受け入れ意図の確率が確率閾値以上であるとき、対象車両Ｎは前方受け入れ意図を有すると判定する。確率閾値は、予め設定された値である。同様に、受入意図判定部１６は、対象車両Ｎの後方受け入れ意図の確率の方が前方受け入れ意図の確率より大きい値であり、後方受け入れ意図の確率が確率閾値以上であるとき、対象車両Ｎは後方受け入れ意図を有すると判定する。受入意図判定部１６は、対象車両Ｎが前方受け入れ意図及び後方受け入れ意図の何れも有さない場合、対象車両Ｎは迷い状態であると判定する。
【００９１】
なお、車両制御システム１００は、対象車両Ｎの受け入れ意図の判定結果を運転者に通知する通知部を有していてもよい。通知部は、例えば、ディスプレイ及びスピーカを有するＨＭＩ［Human Machine Interface］とすることができる。
【符号の説明】
【００９２】
１…ＧＰＳ受信部、２…外部センサ、３…内部センサ、４…地図データベース、５…アクチュエータ、１０…ＥＣＵ、１１…車両位置認識部、１２…走行状態認識部、１３…他車両情報取得部、１４…合流区間認識部、１５…対象車両判定部、１６…受入意図判定部、１７…車両制御部、１００…車両制御システム、Ｍ…自車両、Ｎ…対象車両。
【図１】
2018062300.tif 000003
【図２】
2018062300.tif 000004
【図３】
2018062300.tif 000005
【図４】
2018062300.tif 000006
【図５】
2018062300.tif 000007
【図６】
2018062300.tif 000008